(57)【特許請求の範囲】
【請求項１】
外周に糸が巻かれる第１短円筒状部を有し、その両端にフランジ状の第１及び第２の端板が設けられ、第１の端板から第１短円筒状部の中心部に向かって壁部が延長形成され、前記壁部の中心から第１短円筒状部と同心の円筒状の軸部が第２の端板側に向かって突出している第１糸巻部と、
第１糸巻部の第１短円筒状部の内側に収容され、外周に糸が巻かれる第２短円筒状部を有し、その両端に第３及び第４のフランジ状端板を有し、第２短円筒状部の中心部に位置し、上記軸部に挿通されている軸孔部を有する第２糸巻部とを、
有し、前記軸部と前記軸孔部との挿通状態を維持するストッパ部が上記軸部に設けられている糸巻。
【請求項２】
請求項１記載の糸巻において、第２糸巻部が、糸巻全体を持つことができるつまみ部を有する糸巻。
【請求項３】
請求項１または２記載の糸巻において、第３のフランジ状端板が第１のフランジ状端板側に位置し、第４のフランジ状端板が第２のフランジ状端板側に位置し、第４のフランジ状端板が、第２のフランジ状端板よりも外方に位置する糸巻。
【発明の詳細な説明】
【技術分野】
【０００１】
魚釣り用の糸を巻いておいて、例えば釣りをしているときに必要に応じ所望長さだけ取り出して使用する糸巻に関する。
【背景技術】
【０００２】
従来の魚釣糸は、プラスチック製の糸巻に巻かれて販売されていることが多い。糸巻には、同じもの複数個を巻取り回転の中心軸線方向に順次連結することができるように、構成されたものが特許文献１に示されている。
【特許文献１】特開２００２−１５３１９０公報
【発明の開示】
【発明が解決しようとする課題】
【０００３】
仕掛け用の糸等として用いる魚釣糸は、魚釣りによっては釣りをしている途中で異なる種類の釣糸と交換する場合があり、このような場合が予測される魚釣りでは交換に必要な釣糸をポケットなどに入れて携帯することが行なわれる。釣糸はその種類によって別々に糸巻に巻かれており、２種類の糸を携行しようとすると、上述したような糸巻では２個の糸巻を携行することになる。この糸巻１は同じ寸法のものでは連結できるから、予め同じ形状寸法のものを準備しておくことにより一体に纏めることはできるが、嵩高となり、ポケットに入れるには納まり難く不都合である問題がある。
本発明が解決しようとする課題は、嵩張らないで携行に便利な糸巻を得ることである。
【課題を解決するための手段】
【０００４】
本発明の糸巻は、外周に糸が巻かれる第１短円筒状部を有し、その両端にフランジ状の第１及び第２の端板が設けられ、第１の端板から第１短円筒状部の中心部に向かって壁部が延長形成され、前記壁部の中心から第１短円筒状部と同心の円筒状の軸部が第２の端板側に向かって突出している第１糸巻部と、第１糸巻部の第１短円筒状部の内側に収容され、外周に糸が巻かれる第２短円筒状部を有し、その両端に第３及び第４のフランジ状端板を有し、第２短円筒状部の中心部に位置し、上記軸部に挿通されている軸孔部を有する第２糸巻部とを、有し、前記軸部と前記軸孔部との挿通状態を維持するストッパ部が上記軸部に設けられているものである。
【０００５】
この手段では、第１の糸巻部と第２の糸巻部とに夫々異なる種類の釣り糸を巻いておいて、第２の糸巻部を第１の糸巻部の内側に収容した状態で携行できる。そして釣り糸の使用においては第１の糸巻部側を持つことで第２の糸巻部が糸の引出しに応じて回転可能な状態が得られ、第２の糸巻部側を持つことで第１の糸巻部が糸の引き出しに応じて回転可能な状態が得られる。
【０００６】
第２糸巻部が、糸巻全体を持つことができるつまみ部を有する構成とするのがよい。この構成では、つまみ部を持つことにより、糸巻全体を支持して第２糸巻部を固定した状態になるので、第１糸巻部が回転可能に支持された状態となる。従って、第１糸巻部の糸端を持って引っ張ると、第１糸巻部が回転して、巻かれている糸を必要なだけ引き出すことができる。なお、第２糸巻部の糸は、第１糸巻部の適所を掴んで第２糸巻部に巻かれている糸の端を持って引き出せば、第２糸巻部が回転して、糸を必要なだけ引き出すことができる。
【０００７】
第３のフランジ状端板が第１のフランジ状端板側に位置し、第４のフランジ状端板が第２のフランジ状端板側に位置し、第４のフランジ状端板が、第２のフランジ状端板よりも外方に位置するように構成することもできる。
【発明の効果】
【０００９】
本発明の糸巻は、第１の糸巻部の内側に第２の糸巻部を収容した状態であるから、従来の糸巻の１個に相当する嵩のもので、少なくとも２個の糸巻部があり、２種類の糸を巻くことができ、嵩張らず携行に都合が良いものである。また、第１の糸巻部と第２の糸巻部とが相対的に回転できるから、糸を引っ張って引き出す時に糸を巻いた糸巻部が回転する構成が可能で、糸を捻ることなく引き出して使用できる。
【００１０】
さらに、ストッパー部を有するので、第１の糸巻部と第２の糸巻部とが不用意に外れず、使用糸を引き出す時などに外れて糸の交換に手間取るというような不都合がない。
【００１２】
つまみ部を有する構成のものでは、第１、第２糸巻部に巻かれている糸を使用するとき、いずれも糸の導出側を糸巻部の周りに旋回させて解く必要はなく、第１、第２糸巻部は回転するから、そのまま糸を引っ張って出すことができ、操作性が良い。
【発明を実施するための最良の形態】
【００１３】
図１、図２は、本発明の実施例１を示す図である。この糸巻１０は、第１糸巻部１１、第２糸巻部１２、回転支持部１３を備えている。第１糸巻部１１は、図２に示すように外周に糸が巻かれる短円筒状部１４を有し、その両端にフランジ状の端板１５、１６が設けられている。一方の端板１５はそれの中心部へ向かって壁部１７が延長形成され、さらに壁部１７の中心に短円筒状部１４と同心で長さがやや短い細い円筒状の軸部１８を設けてある。軸部１８は、回転支持部１３の一部として設けてあり、一端が壁部１７に連なっているが他方は自由端で、自由端の端部に軸方向に沿った切り込み溝１９を複数個、例えば８個設け、又外周に周方向の溝２０を設けて薄肉部２１を形成し、その溝２０よりも外側部分を内側の外径よりも少し大きく形成して後述するストッパー部２２としてある。なお、フランジ状端板１６の外縁には、図１（ｂ）、（ｄ）、（ｅ）にみられるように、巻いた糸の導出端部を係止できる狭隘部２３で構成された１又は複数の糸係止部２４を設けてある。
【００１４】
第２糸巻部１２は、組みつけられた状態が図１（ａ）、図２（ｃ）に見られるように、前記第１糸巻き部１１の短円筒状部１４の内側に収容される大きさに形成してあり、図２（ｂ）に示すように外周に糸が巻かれる短円筒状部２５を有し、その両端にフランジ状端板２６、２７を設けてある。一方の端板２６は図２（ｃ）に示すようにフランジ状の内側縁が第１糸巻部１１の壁部１７の内側に沿って中心部へ伸びて壁部２８が連続形成されている。この壁部２８に前記回転支持部１３の他の部分が形成されている。つまり、壁部２８が軸部１８の外周に達してから、その軸部１８に嵌合する円筒状の軸孔部２９が連続形成されている。軸孔部２９の自由端は軸部１８のストッパー部２２に達し終端し、端部外周を少し太くしてつまみ３０に形成されている。また、他方のフランジ状端板２７は外径が第１糸巻部１１の短円筒状部１４内径よりも少し小さく形成され、糸が十分に通過できるようになっている。このフランジ状端板２７にも前記と同様な糸係止部２４を設けてある。
【００１５】
回転支持部１３は、前記軸部１８と軸孔部２９が嵌合する構成である。その嵌合状態は相対的に滑らかに回転できる程度であり、ストッパー部２２の存在による小さい段差が軸方向の抜け止め作用をしている。軸部１８と軸孔部２９は脱着できる構成である。すなわち、嵌合状態で第１糸巻部１１と第２糸巻部１２とを互いに軸方向に引き離す方向のやや強めの作用力を与えると、軸部１８の端部に形成してある割り溝１９によって形成されている８個の舌片状部がそれぞれ内側に撓み、軸孔部２９の端と軸部１８のストッパー部２２との係合が外れて嵌合状態が外れる。嵌合状態とするときは強めの軸方向作用力で嵌め込めばよい。
【００１６】
この糸巻１０の材質は、第１糸巻１１側と第２糸巻１２側の２部分で構成されていて、双方をプラスチック成形品としてもよいが、一方をあるいは双方をアルミ等の金属製としてもよい。なお、図１（ｃ）に仮想線で示す円３１は壁部に設けた孔であり、材料節約と軽量化のためである。
【００１７】
このように構成された糸巻１０は、図２（ａ）、（ｂ）に示すように、各々に予め所望の糸、例えば太さの異なる糸３２、３３を第１、第２糸巻部１１、１２に巻いてあるものを準備し、図２（ｃ）に示すように組み付けて携行する状態とする。その使用においては、つまり糸を取り出す場合には、たとえば、巻かれている２種類の糸３２、３３の何れか一方の所望糸の端を引っ張って糸係止部２４から外し、さらに引っ張って引き出す。このとき第１糸巻部１１から引き出す場合は、片方の手でつまみ３０をつまんで糸巻１０を支持して引き出すと第１糸巻部１１が回転して糸３２が良好に引き出される。また、第２糸巻部１２から糸３３を引き出す場合は、第１糸巻部１１を掴んで糸３３を引き出すことにより同様に第２糸巻部１２が回転して糸３３が良好に引き出される。何れも必要な長さを引き出した後で糸係止部２４に糸を係止して引き出した部分を切断して使用する。
【００１８】
この糸巻１０は、第２糸巻部１２が第１糸巻部１１の内側に収容されているから、従来の１個の糸巻と同じ大きさで２個の糸巻部を有し、２種類の糸を巻いておくことができ、嵩を小さくできるので、携帯に便利である効果を奏する。また、糸使用時に糸の引出しが糸巻部の回転を伴うものであるから、滑らかに引き出せると共に糸にねじりが生じないから、さらにストッパー部２２の作用で糸引き出し中に第１、第２糸巻部１１、１２が外れないから、操作性がよい効果も奏する。
【００１９】
図３は本発明の実施例２を示す。この実施例２の実施例１と異なる点は、図３において第２糸巻部１２の壁部２８ａが第１糸巻部１１の壁部１７から離れて反対側の側面にかなり近い位置に設けてあり、その壁部２８ａの外面を糸３３のラベル３４の貼着面としてある。つまりラベルを貼り付けたときラベルを見やすいようにしてある。また、第１糸巻部１１側の壁部１７の端板１５に連なる外面が糸３２用のラベル３５の貼着面とされている。ラベル３４、３５には巻かれている糸の仕様や標章などが表示される。この他はほぼ同じ構成であるので同等部分を同一図面符号で示して説明を省略する。この糸巻１０ａも実施例１のものと同様に使用して同等の効果が得られる。
【００２０】
前記実施例１、２では、第１、第２糸巻部の２個を設けた構成を示したが、場合によっては第３、さらには第４の糸巻部を順次同心的に設ける構成も可能であり、例えば、大略第１の糸巻部の構成で順次第１の糸巻部の外側に糸巻部を配置し、軸部の内孔に軸部を挿入して装着する関係とし、全体の大きさをほぼ同じとすればよく、必要に応じてこのように構成してもよい。
【図面の簡単な説明】
【００２１】
【図１】本発明の実施例１を示し、（ａ）は全体の正面図、（ｂ）は（ａ）の右側面図、（ｃ）は（ａ）の左側面図、（ｄ）は（ｂ）の部分拡大図、（ｅ）は（ｄ）の平面図である。
【図２】本発明の同実施例の糸を巻いた状態を示し、（ａ）は図１（ｂ）のＡ−Ａ断面における第１糸巻部の断面図、（ｂ）は同Ａ−Ａ断面における第２糸巻部の断面図、（ｃ）は図１（ｂ）のＡ−Ａ断面図である。
【図３】本発明の実施例２を示す概略縦断側面図である。
【符号の説明】
【００２２】
１    糸巻
２    凸嵌合部
３    凹嵌合部
１０  糸巻
１１  第１糸巻部
１２  第２糸巻部
１３  回転支持部
１４  短円筒状部
１５  端板
１６  端板
１７  壁部
１８  軸部
１９  切り込み溝
２０  溝
２１  薄肉部
２２  ストッパー部
２３  狭隘部
２４  糸係止部
２５  短円筒状部
２６  端板
２７  端板
２８  壁部
２８ａ  壁部
２９  軸孔部
３０  つまみ
３１  孔
３２  糸
３３  糸
３４  ラベル
３５  ラベル
【図１】
0003685796.tif 000002
【図２】
0003685796.tif 000003
【図３】
0003685796.tif 000004